(57)【要約】【課題】使い勝手のよい褥瘡予防マットを提供する。【解決手段】並列に隣接する複数条の充填室を有し、充填室が柔軟なシートで形成され、ゲル状の熱媒体が充填室内部に封入され、充填室が熱媒体の自圧により膨張するマットを柔軟な袋対に収容した少なくとも１個のクッション１０を、長尺で弾性に富み、平行かつ水平に配置される一対のブロック１１０と、ブロックの間を連結するよう設けられる連結シート１１１からなるクッションホルダ１１の、連結シート１１１上にクッション１０をブロック１１０の間に挟まれるよう装着する。【選択図】図１
2004350956.tif 000002
【特許請求の範囲】
【請求項１】
少なくとも１個のクッション（１０）と、クッション（１０）を装着し得るクッションホルダ（１１）と、からなる褥瘡予防マットであって、
クッション（１０）が、並列に隣接する複数条の充填室を有し、充填室が柔軟なシートで形成され、ゲル状の熱媒体が充填室内部に封入され、充填室が熱媒体の自圧により膨張するマット（１００）を柔軟なカバー（１０１）に収容したものであり、
クッションホルダ（１１）が、長尺で弾性に富み、平行に配置される一対のブロック（１１０）と、ブロック（１１０）の間を連結するよう設けられる連結シート（１１１）と、からなり、
クッション（１０）が、寝台上に載置されたクッションホルダ（１１）の連結シート（１１１）上に装着される褥瘡予防マット。
【請求項２】
クッションホルダ（１１）の、ブロック（１１０）の上面の少なくとも連結シート（１１１）側の領域に、連結シート（１１１）側に下がるよう傾斜面（１１０ａ）が設けられる請求項１に記載の褥瘡予防マット。
【請求項３】
傾斜面（１１０ａ）の傾斜角が３０度である請求項２に記載の褥瘡予防マット。
【請求項４】
連結シート（１１１）が、一対のブロック（１１０）の対向面の下縁側に接続され、そのブロック（１１０）の下縁に沿って、水平方向に延びる切り込み状のポケットが設けられ、連結シート（１１１）上に装着されるクッション（１０）の端部をポケットに挟み込み得る請求項１ないし３のいずれか１項に記載の褥瘡予防マット。
【請求項５】
クッションホルダ（２１）のブロック（２１０）が、連結シート（２１１）の両端に連結され、その連結部分を軸に、連結シート（２１１）上に折り返し得るようになっており、ブロック（２１０）を折り返したときに、ブロックと連結シート（２１１）の互いに当接する領域の少なくとも一部に、互いに係着し得る面状ファスナー（２１０ａ、２１１ｂ）を設け、連結シート（２１１）上に載置されるクッション（２０）の縁部を、折り返したブロック（２１０）の縁部で挟んでクッションホルダ（２１）上に保持するよう構成した請求項１に記載の褥瘡予防マット。
【請求項６】
ブロック（２１０）の厚さが、装着されるクッション（２０）の厚さと同程度のものであって、ブロック（２１０）を折り返した状態で、相対向するブロック（２１０）の内側側面が、その上面に対し、鋭角を構成するよう傾斜し、その傾斜面と、連結シート（２１１）との間で、クッション（２０）の縁部を挟持し得るよう構成した請求項５に記載の褥瘡予防マット。
【発明の詳細な説明】
【０００１】
【発明の属する技術分野】
本発明は、特に、老人や病人など、横になっている時間の長い要介護者の下に敷いて使用する褥瘡予防マットに関する。
【０００２】
【従来の技術】
【特許文献１】特願２００２−１８５４７６号
例えば、病人や高齢者のように、寝返りをうつことが困難又は不可能な者や、長時間横になっていなければならないような者などの要介護者を、長時間寝かせておくと、床面との接触部位に血行障害によるうっ血や、褥瘡が発生する。
このような要介護者の血行障害を軽減させるため、特殊なマットレスやマット、クッション等が利用されることがある。
【０００３】
このようなクッション等には、様々なものがあるが、血行障害を防止することはできず、従来のものでは、一定時間ごとに、体位を変更させる必要があり、介護者等の負担が大きいという問題があった。
この問題を解決できるものとしては、特願２００２−１８５４７６号に記載のマットがある。
このマットは、並列に隣接する複数条の充填室にゲル状の熱媒体が封入され、充填室が熱媒体の自圧により膨張するものである。
【０００４】
このマットを、寝台面の全体に敷き詰めると、コストが高くなる上、重量が重くなって扱いにくくなるので、寝台上面の一部にマットを敷き、その上に寝かせるようにして使用することが考えられる。
しかしながら、この場合、寝ている間に利用者の体がマットからずれ落ちてしまい易く、効率的に血行障害を防止できないという問題があった。
また、着替えや、清拭などのために、利用者の体を転がすようにして体位を変移させようとすると、体が、完全にマットから落ちてしまい、再びマットに乗せるために、多大な労力を要するという問題があった。
【０００５】
【発明が解決しようとする課題】
本発明は、上記の問題を解決するためになされたものであり、その目的は、使い勝手のよい褥瘡予防マットを提供することにある。
【０００６】
【課題を解決するための手段】
上記の目的は、
並列に隣接する複数条の充填室を有し、充填室が柔軟なシートで形成され、ゲル状の熱媒体が充填室内部に封入され、充填室が熱媒体の自圧により膨張するマットを柔軟な袋対に収容した少なくとも１個のクッションを、長尺で弾性に富み、平行かつ水平に配置される一対のブロックと、ブロックの間を連結するよう設けられる連結シートからなるクッションホルダの連結シート上に、クッションをブロックの間に挟まれるよう装着することによって達成される。
【０００７】
具体的な実施例としては、クッションホルダのブロックは、その上面の少なくとも連結シート側の領域が、連結シート側に下がるよう傾斜させたものが挙げられる。
このとき、この傾斜面の傾斜角は、３０度とすることが好ましい。
また、連結シートを、一対のブロックの対向面の下縁側に接続し、そのブロックの下縁に沿って、水平方向に延びる切り込み状のポケットを設け、連結シート上に装着されるクッションの端部をポケットに挟み込むようにすることが推奨される。
【０００８】
また、別の実施例としては、クッションホルダのブロックが、連結シートの両端に連結され、その連結部分を軸に、連結シート上に折り返し得るようになっており、ブロックを折り返したときに、ブロックと連結シートの互いに当接する領域の少なくとも一部に、互いに係着し得る面状ファスナーを設け、連結シート上に載置されるクッションの縁部を、折り返したブロックの縁部で挟んでクッションホルダ上に保持するよう構成したものが挙げられる。
この場合、ブロックの厚さを、装着されるクッションの厚さと同程度のものとし、ブロックを折り返した状態の、連結シート中央側の側面を、その側面の上縁部分の角度が鋭角になるよう傾斜させることが推奨される。
【０００９】
【発明の実施の形態】
以下、図面により本発明を詳細に説明する。
図１は本発明に係る褥瘡予防マットの第一実施例の正面図、図２は図１に示した褥瘡予防マットの上面図、図３は図１に示した褥瘡予防マットの側面図、図４は図２に示したＡ−Ａ’断面図、図５は図２に示したＢ−Ｂ’断面図、図６は図２に示した褥瘡予防マットのクッションホルダを示す上面図、図７は図１に示したクッション内部に収納されるマットの上面図、図８は本発明に係る褥瘡予防マットの第二実施例の正面図、図９は図８に示した褥瘡予防マットのブロックの開閉状態を示す正面図、図１０は図９に示した褥瘡予防マットの平面図である。
【００１０】
まず、図１ないし図７に基づき、本発明に係る褥瘡予防マットの第一実施例について説明する。
図中、１は褥瘡予防マット、１０はクッション、１００はマット、１０１はカバー、１１はクッションホルダ、１１０はブロック、１１０ａは傾斜面、１１１は連結シートである。
【００１１】
まず、図１ないし図３について説明する。
この褥瘡予防マット１は、クッション１０と、クッションホルダ１１とからなる。
クッション１０は、矩形状のマット１００を柔軟なシート製の袋状のカバー１０１に収納させたものである。
このマット１００は、図７に示したように、並列に隣接する５条の充填室を有する柔軟なシートで形成され、その充填室には、ゲル状の熱媒体が封入され、図４に示したように、充填室が熱媒体の自圧により膨張するものである。
【００１２】
この熱媒体としては、多量に水を含む親水性ポリマー、即ち、ハイドロゲルが用いられる。
また、充填室内の熱媒体の自圧を高めるため、各充填室の両端近傍には、その充填室を形成する壁面のシートの、互いに対面する領域を円状に熱溶着してなるエンボスが設けられ、充填室は、その自圧により強く膨張する。
カバー１０１は、織布製であり、その開口がファスナにより封止できるようになっている。
【００１３】
クッションホルダ１１は、図１、図５及び図６に示したように、一対のブロック１１０と、連結シート１１１とからなる。
各ブロック１１０は、弾性に富むウレタン製のクッション材を織布製カバーで被覆した長尺の部材であり、所定間隔を介して平行に配置される。
また、各ブロック１１０の上面の、対向するブロック１１０側の長縁に沿った所定領域に、下方に下がる傾斜面１１０ａが形成される。
この傾斜面１１０ａの傾斜角は、約３０度である。
【００１４】
連結シート１１１は、矩形状で柔軟なシートであり、平行に配置されたブロック１１１の間を連結するように設けられる。
連結シート１１１は、各ブロック１１０の底面に接続され、ブロック１１０の、対向するブロック１１０側の下縁に沿って、ブロック１１０と、連結シート１１１の間に隙間が設けられ、所定の深さのポケットが形成される。
【００１５】
クッション１０をクッションホルダ１１に、装着する際には、図６に示したように展開したクッションホルダ１１の、連結シート１１１上に、２枚のクッション１０を、図１及び図５に示したように載置する。
このとき、クッション１０の端縁が、クッションホルダ１１のブロック１１０下縁に沿って設けられたポケットに押し込まれ、その端縁がブロック１１０によって押さえつけられ、クッション１０がクッションホルダ１１からずれないようになっている。
【００１６】
なお、クッションホルダ１１にクッション１０を装着すると、弾性に富むブロック１１０の形状は、クッション１０に押されて若干歪むが、図面では、便宜上、その歪みは省略した。
また、ブロック１１０が歪んでも、その傾斜面１１０ａの傾斜角には、ほとんど影響しない。
【００１７】
この褥瘡予防マット１を使用する際には、クッション１０のカバー１０１からマット１００を取り出しておき、これを図示しない加温庫などに収納し、内部の熱媒体が所定温度に達するまで充分に加温する。
この加温庫内は、例えば、５０℃以下の温度に保温されるようになっており、内部に収納されたマット１００は、輻射熱及び伝導熱によって加温される。
一般に、人体の体表温度は、３２ないし３３℃であるので、この加温庫は、マット１００の表面が３４ないし３６℃程度になるよう加温できればよい。
【００１８】
次に、充分に加温されたマット１００をカバー１０１に収納する。
このクッション１０を、所要の寝台上に展開、載置されたクッションホルダ１１に装着する。
この褥瘡予防マット１が、利用者の肩や腰部など、所望の位置に当接するよう利用者を寝台上に寝かせ、掛け布団などをかぶせればよい。
【００１９】
この褥瘡予防マット１を使用すると、使用中にクッションとクッションの間に隙間ができることも、また、褥瘡予防マットから身体がずり落ちることもない。
また、利用者の着衣を交換するときや、清拭の際などには、介護者等が利用者の身体を反転させる必要があるが、この際、転がされた身体が、ブロック１１０の傾斜面１１０ａに支えられ、クッション１０上から転がり落ちない上、身体がゴロンと反転しきらないので、少ない労力で身体を元の状態に簡単に戻すことができる。
【００２０】
さらに、利用者の身体は、クッション１０に収納されているマット１００の、略丸棒状に膨張した複数の充填室によって支えられるので、利用者の身体の、クッション１０との接触面に負荷が集中することがなく、毛細血管の圧迫が生じない。
その上、マット１００自体が加温されているため、利用者の身体が保温され、血行も促進されるので、褥瘡が発生しない。
加温されたマット１００は、利用者の体温によって保温され、適温を保つので、血行促進効果は長時間に渡って維持される。
【００２１】
次に、図８ないし図１０に基づき、本発明に係る褥瘡予防マットの第二実施例について説明する。
図中、２は褥瘡予防マット、２０はクッション、２１はクッションホルダ、２１０はブロック、２１０ａは面状ファスナー、２１１は連結シート、２１１ａは面状ファスナーである。
なお、本実施例の主要構成は、第一実施例と同様であり、また、その効果も重複する部分が多いので、相違点を中心に説明する。
【００２２】
クッション２０は、第一実施例のものと同様である。
このクッションホルダ２１は、一対のブロック２１０と、矩形状の連結シート２１１とからなる。
各ブロック２１０は、厚さが、クッション２０の厚さと略等しいウレタン製のクッション材を織布カバーで被覆した板状の部材である。
このブロック２１０は、連結シート２１１の平行な一対の縁部に沿って、連結シート２１１上に配置される。
【００２３】
このブロック２１０と連結シート２１１とは、その連結シート２１１の縁部と、その縁部に重なるブロック２１０の一辺とで連結され、図９に示したように、その連結部分を軸に、外側に開いたり、連結シート２１１上に折り返したりできるようになっている。
また、この両ブロック２１０を、図８に示したように、連結シート２１１上に折り返したときに相対向する、ブロック２１０の内側側面は、上面に対し、鋭角を構成するよう傾斜している。
【００２４】
また、このブロック２１０の、連結シート２１１と接触する領域には、図９及び図１０に示したように、帯状の面状ファスナー２１０ａが、ブロック２１０の傾斜面側縁辺に沿うよう設けられる。
また、ブロック２１０を、連結シート２１１上に折り返したときに、その面状ファスナー２１０ａが当接する、連結シート２１１上の領域には、ブロック２１０の面状ファスナー２１０ａと係着し得る帯状の面状ファスナー２１１ａが設けられる。
【００２５】
この面状ファスナー２１１ａの幅は、ブロック２１０に設けられる２１０ａより広くなっている。
この褥瘡予防マット２を使用するときには、ブロック２１０を開いた状態で、連結シート２１１の中央に、２枚のクッション２０を並べて置き、ブロック２１０を連結シート２１１上に折り返し、その先端部でクッション２０の縁部を挟んだ状態で、面状ファスナー２１０ａを、面状ファスナー２１１ａに押し付け、係着させる。
【００２６】
クッション２０は、その縁部領域が、ブロック２１０と、連結シート２１１との間に挟持され、クッションホルダ２１にしっかりと保持される。
この褥瘡予防マット２は、クッション２０の装着状態のときに、上面に凹凸が少ないので、寝台上に載置した褥瘡予防マット２の上から寝台上にシーツを被せて使用しても、シーツに皺がより難く、シーツの皺による褥瘡の発生を防止できる。
また、褥瘡予防マット２自体が、シーツに覆われるので、汚れ難く、手入れの手間を軽減できる。
また、この褥瘡予防マット２に、マットを着脱する際には、ブロック２１０を開いた状態にし、クッション２０を連結シート２１１上の中央に載置し、又は、連結シート２１１上から取り除けばよい。
【００２７】
クッション２０は、内部にゲル状の熱媒体が封入されているので、ずっしりとしており、これを持ち上げて所定の位置に配置させるには、ある程度の力と技術が必要になるが、褥瘡予防マット２の場合、ブロック２１０を開いておけば、寝台上に載せたクッション２０を、寝台上を滑らせ、連結シート２１１上に持っていけばよく、また、連結シート２１１上の載置位置も、その両側縁にブロック２１０が当たり得るものであればクッション２０を連結シート２１１上に保持でき、厳密に位置合わせをしなくてもすむので、作業者の負担を軽減できる。
【００２８】
また、連結シート側の面状ファスナー２１１ａの幅が、ブロック２１０側の面状ファスナー２１０ａの幅より広いので、クッション２０の載置位置や、使用状況によって、ブロック２１０の折り返し軸が若干変わっても充分な接触領域を得ることができ、また、クッション２０の一部が面状ファスナー２１１ａに被って、普通に折り返したときに面状ファスナー２１０ａと面状ファスナー２１１ａとの間に充分な係着力が得られないような場合などに、ブロック２１０の折り返し位置を故意にずらし、面状ファスナー同士の接触面積が増えるようにし、充分な係着力を得られるようにできる。
【００２９】
なお、本発明は上記の実施例に限定されるものではない。
例えば、クッションホルダに装着し得るマットの枚数は、１枚でも、３枚以上でもよい。
また、クッションの内部に収容されているマットの充填室は、５条に限定されず、４条以下でも６条以上でもよいが、少なすぎると、充分な圧力分散効果を得難く、反対に多すぎると、マット自体が重たくなって取り扱いが困難になるので、実施例に示したような５条のものが好ましい。
また、このマットの充填室に充填される熱媒体は、充填室内で自圧により膨張するようになれば、どのような充填方法であってもよい。
また、複数の褥瘡予防マットを寝台上に複数載せ、利用者の身体を広範囲に渡って支えるようにしてもよい。
【００３０】
また、第一実施例において、クッションホルダのブロックの傾斜面の角度は、利用者の体位変更の際の操作性から、３０度前後が好ましいが、それ以外の角度や、曲面であってもよく、また、単なる直方体のブロックでもよい。
このとき、特に、自力で体位を変更できるような者が利用する場合であれば、ブロックの形状は特に限定する必要はなく、どのような形状であっても構わない。
【００３１】
また、上記の第一実施例では、クッションホルダのブロックの下縁に沿って、マットの縁を収容し得るポケットを設けたが、このポケットは設けなくてもよい。
この場合、クッションホルダの連結シート又はクッションの少なくとも一方に滑りにくいカバーを用いるか、両者の間に滑り止めシートを挟むなどして、使用中に、クッションホルダからクッションがずれないようにすることが推奨される。
また、クッションホルダの連結シートは、ブロックを連結するものであればどのようなものであってもよく、例えば、複数の長尺の帯状シートで、ブロック同士を連結するようにしてもよい。
【００３２】
また、第一実施例おいて、ブロックと連結シートを取り外し可能としてもよく、例えば、連結シートの裏面側の両縁に、各ブロックを取り付け、それを表に返して連結シート表面上にクッションを装着してもよい。
この場合、連結シート、及び、クッションのカバーを取り外し、それらの交換や、洗濯が容易になるので、褥瘡予防マットを容易に清潔に保つことができる。
【００３３】
また、第二実施例において、ブロックの厚さとクッションの厚さは、略同一であればよく、シーツなどを被せたときに、シーツに皺が寄らない程度であれば、多少違いがあってもよい。
また、クッションが、圧縮しやすいものであって、寝台にセットされるシーツの圧力によって、クッションが容易につぶれる場合には、使用時には、クッションとブロックが同様の高さとなるので、使用前のブロックの高さが、クッションより高くても構わない。
【００３４】
また、使用状況に応じ、ブロックの高さをクッションの高さより低くしてもよい。
また、実施例の説明に伴い、使用した図では、ブロックの構成面が平面状になっているが、クッションを挟むことにより、その中央部が盛り上がって湾曲するものである。
また、このブロックの形状は、その構成面を予め緩やかに湾曲させたものでもよい。
【００３５】
【発明の効果】
本発明は上記のように構成されるので、本発明によるときは、使用中に、クッションがずれることがなく、使い勝手がよい。
【図面の簡単な説明】
【図１】本発明に係る褥瘡予防マットの一実施例の正面図である。
【図２】図１に示した褥瘡予防マットの上面図である。
【図３】図１に示した褥瘡予防マットの側面図である。
【図４】図２に示したＡ−Ａ’断面図である。
【図５】図２に示したＢ−Ｂ’断面図である。
【図６】図２に示した褥瘡予防マットのクッションホルダを示す上面図である。
【図７】図１に示したクッション内部に収納されるマットの上面図である。
【図８】本発明に係る褥瘡予防マットの第二実施例の正面図である。
【図９】図８に示した褥瘡予防マットのブロックの開閉状態を示す正面図である。
【図１０】図９に示した褥瘡予防マットの平面図である。
【符号の説明】
１        褥瘡予防マット
１０      クッション
１００    マット
１０１    カバー
１１      クッションホルダ
１１０    ブロック
１１０ａ  傾斜面
１１１    連結シート
２        褥瘡予防マット
２０      クッション
２１      クッションホルダ
２１０    ブロック
２１０ａ  面状ファスナー
２１１    連結シート
２１１ａ  面状ファスナー
【図１】
2004350956.tif 000003
【図２】
2004350956.tif 000004
【図３】
2004350956.tif 000005
【図４】
2004350956.tif 000006
【図５】
2004350956.tif 000007
【図６】
2004350956.tif 000008
【図７】
2004350956.tif 000009
【図８】
2004350956.tif 000010
【図９】
2004350956.tif 000011
【図１０】
2004350956.tif 000012